(57)【要約】本明細書に開示されるのは、ヘッドバンド状構成要素と、１つまたは２つの外部イヤーピースと、１つまたはそれを上回る外部スピーカとを備える、ヘッドセットである。ヘッドバンド状構成要素は、第１の端部と、第２の端部とを備える。１つまたは２つの外部イヤーピースの各イヤーピースは、ユーザの片耳を被覆し、ヘッドバンド状構成要素の第１の端部および第２の端部のうちの１つに接続される。１つまたはそれを上回る外部スピーカの各外部スピーカは、所定の設計を有し、各外部スピーカは、ヘッドバンド状構成要素上に搭載される。
2017532927.tif 000002
【特許請求の範囲】
【請求項１】
ヘッドセットであって、
第１の端部および第２の端部を備える、ヘッドバンド状構成要素と、
１つまたは２つの外部イヤーピースであって、各イヤーピースは、ユーザの片耳を被覆し、前記ヘッドバンド状構成要素の前記第１の端部および第２の端部のうちの１つに接続される、イヤーピースと、
１つまたはそれを上回る外部スピーカであって、各外部スピーカは、所定の設計を有し、各外部スピーカは、前記ヘッドバンド状構成要素上に搭載される、スピーカと、
を備える、ヘッドセット。
【請求項２】
前記所定の設計は、ネコの耳、クマの耳、ウサギの耳、星座設計、干支設計、非耳形状設計、花、星、葉、クリスマスツリー設計、およびそれらの組み合わせから成る群から選択される、請求項１に記載のヘッドセット。
【請求項３】
１つの外部イヤーピースを備える、請求項１に記載のヘッドセット。
【請求項４】
２つの外部スピーカを備える、請求項１に記載のヘッドセット。
【請求項５】
前記１つまたは２つの外部イヤーピースはそれぞれ、前記耳を被覆する側と反対側に装飾要素を有する、請求項１に記載のヘッドセット。
【請求項６】
前記装飾要素は、１つまたはそれを上回る発光ダイオード（ＬＥＤ）リングを備える、請求項５に記載のヘッドセット。
【請求項７】
前記外部イヤーピース上の前記１つまたはそれを上回るＬＥＤリングのうちの少なくとも１つは、前記ヘッドセットが音楽を聴くために使用されるとき、前記音楽と同期される、請求項６に記載のヘッドセット。
【請求項８】
前記１つまたはそれを上回る外部スピーカはそれぞれ、装飾要素を有する、請求項１に記載のヘッドセット。
【請求項９】
前記装飾要素は、１つまたはそれを上回る発光ダイオード（ＬＥＤ）リングを備える、請求項８に記載のヘッドセット。
【請求項１０】
前記外部イヤーピース上の前記１つまたはそれを上回るＬＥＤリングのうちの少なくとも１つは、前記ヘッドセットが音楽を聴くために使用されるとき、前記音楽と同期される、請求項９に記載のヘッドセット。
【請求項１１】
前記ヘッドバンド状構成要素上に１つまたはそれを上回る制御ボタンをさらに備える、請求項１に記載のヘッドセット。
【請求項１２】
前記１つまたはそれを上回る外部イヤーピース上に１つまたはそれを上回る制御ボタンをさらに備える、請求項１に記載のヘッドセット。
【請求項１３】
前記１つまたはそれを上回る外部スピーカ上に１つまたはそれを上回る制御ボタンをさらに備える、請求項１に記載のヘッドセット。
【請求項１４】
オーディオ信号を外部デバイスから受信するためのオーディオケーブルをさらに備える、請求項１に記載のヘッドセット。
【請求項１５】
オーディオ信号を外部デバイスから無線で受信するための無線通信ユニットをさらに備える、請求項１に記載のヘッドセット。
【請求項１６】
前記無線通信ユニットは、ヘッドバンド状構成要素、外部イヤーピース、外部スピーカ、およびそれらの組み合わせから成る群から選択された１つ内に位置する、請求項１５に記載のヘッドセット。
【発明の詳細な説明】
【技術分野】
【０００１】
（関連出願への相互参照）
本願は、２０１４年９月１９日に出願された米国特許出願第１４／４９１，９３４号に基づく優先権を主張しており、この特許出願は、本明細書によって、その全体が参考として本明細書中に援用される。
【０００２】
（発明の分野）
本発明は、ヘッドセットに関する。特に、本発明は、一体型外部スピーカを備える、ヘッドセットに関する。より具体的には、本発明は、動物の耳等の所定の形状および設計を伴う一体型外部スピーカを備える、ヘッドセットに関する。
【背景技術】
【０００３】
（背景）
ポータブルＣＤまたはＤＶＤプレーヤ、ＭＰＥＧプレーヤ、ＭＰ−３プレーヤ、および携帯電話等のポータブル電子デバイスは、過去数十年にわたって、最も人気を集めている。これらのデバイスは、種々の形態の個人用娯楽を提供し、ユーザが、場所およびリソースから独立して、会話、音楽、および映画を享受することを可能にする。多くのポータブル電子デバイスに関して、他者への妨害を回避しながらユーザプライバシーを提供するために、ヘッドセットを有することが必要であるか、または望ましい。
【０００４】
既存のヘッドセットは、典型的には、耳内に設置されるか、または耳を被覆する耳当て状構造に封入／埋設され得る、１つまたは２つのイヤープラグの形態であり得る、１つまたはそれを上回るスピーカを有する。当技術分野において必要とされるのは、ヘッドセットにおける機能性を改良し、個性をもたらす設計および機能性である。
【発明の概要】
【０００５】
（発明の要旨）
本明細書に提供されるのは、ヘッドバンド状構成要素と、１つまたは２つの外部イヤーピースと、１つまたはそれを上回る外部スピーカとを備える、ヘッドセットである。ヘッドバンド状構成要素は、第１の端部と、第２の端部とを備える。１つまたは２つの外部イヤーピースの各イヤーピースは、ユーザの片耳を被覆し、ヘッドバンド状構成要素の第１の端部および第２の端部のうちの１つに接続される。１つまたはそれを上回る外部スピーカの各外部スピーカは、所定の設計を有し、各外部スピーカは、ヘッドバンド状構成要素上に搭載される。
【０００６】
いくつかの実施形態では、所定の設計は、ネコの耳、クマの耳、ウサギの耳、星座設計、干支設計、非耳形状設計、花、星、葉、クリスマスツリー設計、およびそれらの組み合わせから成る群から選択される。
【０００７】
いくつかの実施形態では、ヘッドセットは、１つのみの外部イヤーピースを備える。いくつかの実施形態では、ヘッドセットは、２つの外部スピーカを備える。
【０００８】
いくつかの実施形態では、１つまたは２つの外部イヤーピースはそれぞれ、耳を被覆する側と反対側に装飾要素を有する。いくつかの実施形態では、装飾要素は、１つまたはそれを上回る発光ダイオード（ＬＥＤ）リングを備える。いくつかの実施形態では、外部イヤーピース上の１つまたはそれを上回るＬＥＤリングのうちの少なくとも１つは、ヘッドセットが音楽を聴くために使用されるとき、音楽と同期される。
【０００９】
いくつかの実施形態では、１つまたはそれを上回る外部スピーカはそれぞれ、装飾要素を有する。いくつかの実施形態では、装飾要素は、１つまたはそれを上回る発光ダイオード（ＬＥＤ）リングを備える。いくつかの実施形態では、外部イヤーピース上の１つまたはそれを上回るＬＥＤリングのうちの少なくとも１つは、ヘッドセットが音楽を聴くために使用されるとき、音楽と同期される。
【００１０】
いくつかの実施形態では、ヘッドセットはさらに、ヘッドバンド状構成要素上に１つまたはそれを上回る制御ボタンを備える。
【００１１】
いくつかの実施形態では、ヘッドセットはさらに、１つまたはそれを上回る外部イヤーピース上に１つまたはそれを上回る制御ボタンを備える。
【００１２】
いくつかの実施形態では、ヘッドセットはさらに、１つまたはそれを上回る外部スピーカ上に１つまたはそれを上回る制御ボタンを備える。
【００１３】
いくつかの実施形態では、ヘッドセットはさらに、オーディオ信号を外部デバイスから受信するためのオーディオケーブルを備える。
【００１４】
いくつかの実施形態では、ヘッドセットはさらに、オーディオ信号を外部デバイスから無線で受信するための無線通信ユニットを備える。いくつかの実施形態では、無線通信ユニットは、ヘッドバンド状構成要素、外部イヤーピース、外部スピーカ、およびそれらの組み合わせから成る群から選択された１つ内に位置する。
【００１５】
また、本明細書に提供されるのは、ヘッドセットを使用する方法である。例えば、ユーザは、ヘッドセットを介して、音楽をプライベートで聴くか、または音楽をブロードキャストし、外部スピーカを介して、友人と共有することを選ぶことができる。
【００１６】
任意の好適な実施形態は、特定の目的に合わせて組み合わせられることができることを理解されたい。
【図面の簡単な説明】
【００１７】
当業者は、以下に説明される図面が例証目的のためだけのものであることを理解するであろう。図面は、本教示の範囲をいかようにも限定することを意図するものではない。
【００１８】
【図１】図１は、前面斜視図における例示的実施形態を描写する。
【００１９】
【図２】図２は、後から見た例示的実施形態を描写する。
【００２０】
【図３】図３は、底から見た例示的実施形態を描写する。
【００２１】
【図４】図４は、前から見た例示的実施形態を描写する。
【００２２】
【図５】図５は、片側から見た例示的実施形態を描写する。
【００２３】
【図６】図６は、他側から見た例示的実施形態を描写する。
【００２４】
【図７】図７は、上から見た例示的実施形態を描写する。
【００２５】
【図８】図８は、異なる形状における外部スピーカを有する、例示的実施形態を描写する。
【００２６】
【図９】図９は、異なる形状における外部スピーカを有する、例示的実施形態を描写する。
【００２７】
【図１０】図１０は、取り外された形態における外部スピーカを示す、例示的実施形態を描写する。
【発明を実施するための形態】
【００２８】
定義
別様に注記されない限り、用語は、当業者による従来の使用法に従って理解されるものとする。
【００２９】
本明細書に開示されるヘッドセットは、ヘッドバンド状構成要素と、１つまたはそれを上回るイヤーピースとを備える。一側面では、本明細書に説明されるヘッドセットはまた、１つまたはそれを上回る外部スピーカを備える。一側面では、本明細書に説明されるヘッドセットはまた、ＬＥＤ光の円または他のパターンで配列されるＬＥＤ光等の装飾要素を伴う、１つまたはそれを上回る外部スピーカを備える。別の側面では、本明細書に説明されるヘッドセットはさらに、外部イヤーピース上にＬＥＤ光装飾等の装飾要素を備える。
【００３０】
図１を参照すると、ヘッドセット１００は、ヘッドバンド状構成要素（例えば、要素１０）と、１つまたはそれを上回る外部イヤーピース（例えば、耳当て状要素２０）と、ヘッドバンドに取り付けられる２つの外部スピーカ（例えば、要素３０）とを備える。説明は、本発明の理解のための例証として本明細書に提供され、本発明の範囲をいかようにも限定すべきではない。
【００３１】
既存のヘッドセットにおける任意の好適な構成は、例えば、限定ではないが、米国意匠特許第Ｄ５５２０７７号、米国意匠特許第Ｄ６９８７４９号、米国特許第５，０９５，３８２号、米国特許第５，３３３，２０６号、米国特許第６，２３６，７３２号、米国特許第７，１４６，１９９号、米国特許第８，０４５，７２６号、米国特許第８，０５０，４４４号、米国特許出願公開第２０１１／０２６８２９０号、米国特許出願公開第２０１１／０１２６８４６号、米国特許出願公開第２０１２／０２４３７０３号、米国特許出願公開第２０１２／０３０８０６７号、および米国特許出願公開第２０１４／０１７７８９７号（それぞれ、参照することによってその全体として本明細書に組み込まれる）を含む、本明細書に説明される外部スピーカを組み込むために使用されることができる。
【００３２】
ヘッドバンド構成要素１０
ヘッドバンド状構成要素１０は、２つの端部を伴う、湾曲部品（例えば、図１における要素１０２）を備える。湾曲部品は、ユーザの頭部の形状に従って、フィット感および快適性を提供するように成形される。ヘッドバンド状構成要素１０は、中心部品であって、デバイス全体のための構造支持を提供する。例えば、これは、外部スピーカ３０が取り付けられる、基部としての役割を果たす。加えて、外部イヤーピースもまた、ヘッドバンド構成要素の２つの端部に取り付けられる。加えて、ヘッドバンド状構成要素１０は、イヤーピース２０および外部スピーカ３０の両方への電気接点および接続を提供する。
【００３３】
ヘッドセットが使用されているとき、いくつかの実施形態では、ヘッドバンド状構成要素１０は、ユーザの頭部の上部にわたって及ぶ。いくつかの実施形態では、ヘッドバンド状構成要素は、ユーザの頭部の背面に及ぶ。いくつかの実施形態では、ヘッドバンド状構成要素は、ユーザの頭部の上部と背面との間に及ぶ。
【００３４】
いくつかの実施形態では、ヘッドバンド状構成要素の２つの端部は、ユーザ上に対称的に位置する。そのような実施形態では、ヘッドバンド状構成要素の一方または両方の端部は、外部イヤーピースと接続される。いくつかの実施形態では、ヘッドバンド状構成要素の２つの端部は、対称的に位置しない。そのような実施形態では、２つの端部のより長い方のみが、外部イヤーピースと接続される。より短い方の端部は、外部イヤーピースを有しておらず、故に、耳に到達しない。しかしながら、構造支持を提供するために十分に遠くに延在する。いくつかの実施形態では、設計は、マイクロホンを含む。いくつかの実施形態では、マイクロホンは、必要とされない。例示的設計は、限定ではないが、例えば、米国意匠特許第Ｄ２９９６４３号、米国特許第７，９２０，９０３号、米国意匠特許第Ｄ３３７１１６号、米国意匠特許第Ｄ３７６５９８号、米国意匠特許第Ｄ４８１３７５号、および米国特許出願公開第２０１１／０１４３８２０号（それぞれ、参照することによってその全体として本明細書に組み込まれる）に開示される設計を含む。
【００３５】
ヘッドバンド状構成要素の湾曲部品は、２つの側を有する。いくつかの実施形態では、ユーザの頭部と接触する側は、快適性のためにパッド状である。ユーザの頭部と接触しない反対側には、１つまたはそれを上回る外部スピーカが、取り付けられる。当業者は、外部スピーカの収容およびイヤーピースへの接続を可能にする限り、任意の好適な構成がヘッドバンド状構成要素のために使用され得ることを理解するであろう。例えば、いくつかの実施形態では、ヘッドバンド状構成要素は、図＊に描写されるように、均等な幅および平行縁を有する。いくつかの実施形態では、ヘッドバンド状構成要素は、不均等な幅または非平行縁を有する。
【００３６】
スピーカの取付および構成に関する詳細な説明は、外部スピーカと題された項に見出され得る。任意の好適な材料が、ヘッドバンド状構成要素内で使用されることができる。
【００３７】
いくつかの実施形態では、ヘッドバンド状構成要素のサイズは、例えば、延長可能機構を使用することによって、特定のユーザに合わせて調節されることができる。例えば、要素１０４および１０６の相対的位置は、ヘッドバンド状構成要素のサイズがユーザの頭部に適合するよう変動されるように調節されることができる。
【００３８】
外部イヤーピース２０
１つまたは２つの外部イヤーピース（例えば、図１における要素２０）は、ヘッドバンド状構成要素１０の一方または両方の端部に取り付けられる。好ましい実施形態では、外部耳当て状イヤーピースは、回転可能機構を介して、ヘッドバンド状構成要素１０の各端部に取り付けられる。例えば、図１に図示されるように、耳当て状イヤーピース２０は、フォーク状構造１３０によって保持される。フォーク状構造の一端は、ヘッドバンド状構成要素１０の一端における要素１２０と接続される。イヤーピース２０全体は、要素１４０の軸の周囲を回転されることができる。いくつかの実施形態では、イヤーピース２０全体は、ヘッドバンド状要素１０の内側に折畳され、ヘッドセットのコンパクトな梱包を可能にする。
【００３９】
従来の設計では、内部イヤーピース電子機器は、音楽が同期され、オンまたはオフにされ得るように、スピーカ配線に接続される。
【００４０】
いくつかの実施形態では、外部イヤーピース２０は、１つまたはそれを上回るい内蔵スピーカを有する。いくつかの実施形態では、オーディオ信号は、有線接続を介して、直接、内蔵スピーカに伝送される。いくつかの実施形態では、オーディオ信号は、無線接続を介して、例えば、Ｂｌｕｅｔｏｏｔｈ（登録商標）接続を介して、直接、内蔵スピーカに伝送される。いくつかの実施形態では、オーディオ信号は、同時に、イヤーピース内の内蔵スピーカおよび外部スピーカにフィードされる。いくつかの実施形態では、ユーザはまた、オーディオ信号をイヤーピース内の内蔵スピーカまたは外部スピーカのみにダイレクトすることを選ぶことができる。
【００４１】
いくつかの実施形態では、ＬＥＤ光等の装飾要素が、例えば、ドーム状要素２０２上等、一方または両方のイヤーピース上に位置付けられるか、またはその中に埋設される（例えば、図４および５）。ＬＥＤ光は、任意の形状またはパターン、例えば、リング、帯、閃光、星、または任意の他の形状もしくは設計で配列されることができる。いくつかの実施形態では、ＬＥＤ光は、いったんオンにされると、定常に留まる。いくつかの実施形態では、ＬＥＤ光は、明滅または点滅する。いくつかの実施形態では、ＬＥＤ光は、音楽のビートまたはリズム等のオーディオ信号の特徴に従って明滅または点滅する。ここで使用されるＬＥＤ光は、１つまたは複数の色を有することができる。いくつかの実施形態では、同一ＬＥＤ光が、色を変化させる。いくつかの実施形態では、同一ＬＥＤ光が、楽曲のリズムまたはビート等のオーディオ信号の特徴に従って色を変化させる。いくつかの実施形態では、異なる色を有する異なるＬＥＤが、使用される。
【００４２】
いくつかの実施形態では、ヘッドセットは、２つまたはそれを上回る動作モードを有する。ユーザは、個人用娯楽または他者との共有のために、１つまたはそれを上回る内蔵スイッチを使用して、所望のモードを選択することができる。例えば、スイッチ（例えば、制御ボタン）は、ヘッドバンド状構成要素の一方または両方の端部の近傍に位置付けられることができる（例えば、図１における要素１０８および１１０）。いくつかの実施形態では、スイッチが、ＬＥＤ光をオンおよびオフにするために使用される。いくつかの実施形態では、スイッチが、ＬＥＤ光を点滅モードにさせるために使用される。いくつかの実施形態では、スイッチが、ＬＥＤ光の色を変化させるために使用される。いくつかの実施形態では、スイッチが、オーディオ信号をイヤホン、外部スピーカ、または両方にダイレクトするために使用される。
【００４３】
図９を参照すると、イヤーピース２０は、例えば、ケーブル１１４を介して接続される。いくつかの実施形態では、ケーブルは、（例えば、全体的または部分的に、ヘッドバンド状構成要素内に）隠される。
【００４４】
外部スピーカ３０
本明細書に開示されるヘッドセットは、限定ではないが、動物の耳を含む、所定の形状および設計を有する、１つまたはそれを上回る外部スピーカを備える（例えば、図１−１０）。好ましい実施形態では、本明細書に開示されるヘッドセットは、図１から１０に描写されるように、ヘッドバンド状部品上に対称的に位置付けられる２つの外部スピーカを備える。
【００４５】
例示的スピーカ設計は、限定ではないが、ネコの耳、クマの耳、ウサギの耳、ネズミの耳、ミッキーマウスまたはミニーマウスの耳、または任意の他の設計を含む。いくつかの実施形態では、本発明による外部スピーカは、花、星、葉、クリスマスツリー等の非耳形状設計を採用する。いくつかの実施形態では、外部スピーカは、異なる星座または異なる干支を表す形状および設計を有する。
【００４６】
いくつかの実施形態では、同一ヘッドバンド状構成要素に接続されるスピーカは、同一形状および設計を有する。いくつかの実施形態では、同一ヘッドバンド状構成要素に接続されるスピーカは、異なる形状および設計を有する。
【００４７】
本発明は、使用されるスピーカの数に限定を設けない。いくつかの実施形態では、１つのスピーカが、使用される（例えば、ユニコーンの角）。好ましい実施形態では、２つのスピーカが、使用される。いくつかの実施形態では、３つまたはそれを上回るスピーカが、使用され、例えば、ヘッドバンド状構成要素上にアレイで配列される。いくつかの実施形態では、４つまたはそれを上回るスピーカが、使用される。いくつかの実施形態では、５つまたはそれを上回るスピーカが、使用される。いくつかの実施形態では、６つまたはそれを上回るスピーカが、使用される。いくつかの実施形態では、１０またはそれを上回るスピーカが、使用される。
【００４８】
いくつかの実施形態では、所定の形状および設計を伴う、外部スピーカは、ヘッドバンド状構成要素に恒久的に取り付けられる。いくつかの実施形態では、所定の形状および設計を伴う、外部スピーカは、ヘッドバンド状構成要素から取り外されることができる。いくつかの実施形態では、同一取付方法が、取り付けられる異なる外部スピーカをヘッドバンド状構成要素に取り付けるために使用される。したがって、異なる外部スピーカは、相互に交換可能である。
【００４９】
図１０を参照すると、ネコの耳形状のスピーカ３０が、ヘッドバンド状構成要素１０から取り外されて示される。例えば、各スピーカ３０上の電気要素３６０は、ヘッドバンド状構成要素１０上の対応する電気要素１６０と接続される。３６０と６３０との間の接続は、オーディオ信号が、スピーカに転送されることを可能にする。当業者は、オーディオ信号等の信号の転送を促進し得る、あらゆるタイプの電気要素が、使用されることができることを理解するであろう。いくつかの実施形態では、複数の電気要素が、使用され、限定ではないが、例えば、２つまたはそれを上回る、３つまたはそれを上回る、４つまたはそれを上回る、５つまたはそれを上回る、６つまたはそれを上回る、１０またはそれを上回る、１５またはそれを上回る、２０またはそれを上回る、３０またはそれを上回る要素を含む。
【００５０】
加えて、１つまたはそれを上回る構造取付要素（例えば、図１０におけるスピーカ３０上の要素３５０）が、対応する受容要素（例えば、ヘッドバンド状構成要素１０上の要素１５０）を介して、スピーカをヘッドバンド状構成要素１０に固着して取り付けるために使用される。当業者は、スピーカをヘッドバンド状構成要素に固着して取り付けられ得る、あらゆるタイプの取付要素が、使用されることができることを理解するであろう。いくつかの実施形態では、複数の取付要素が、使用され、限定ではないが、例えば、２つまたはそれを上回る、３つまたはそれを上回る、４つまたはそれを上回る、５つまたはそれを上回る、６つまたはそれを上回る、１０またはそれを上回る、１５またはそれを上回る、２０またはそれを上回る、３０またはそれを上回る要素を含む。
【００５１】
いくつかの実施形態では、取付要素３５０と受信要素１５０との間の取付は、可逆的である。いくつかの実施形態では、スピーカは、異なる形状および設計（例えば、クマの耳、ウサギの耳、ネズミの耳等）を有するが、同一取付要素を使用する。したがって、異なる形状および設計のスピーカは、相互に交換可能となり、ユーザは、スピーカを除去し、共通取付特色を利用することによって、それを異なる形状および設計を伴うスピーカと置換することができる。
【００５２】
任意のスピーカが、ドライバの数、極型、エンクロージャタイプ、または他の特性にかかわらず、使用されることができる。いくつかの実施形態では、外部スピーカ３０は、受動スピーカである。そのようなスピーカは、内蔵増幅器を有していない。すなわち、オーディオ信号は、スピーカを十分に駆動させるために十分に増幅されている。いくつかの実施形態では、外部スピーカ３０は、能動スピーカである。スピーカで受信されたオーディオ信号は、能動的に処理され、ブロードキャストされる。例えば、外部スピーカの既知の弱点は、内蔵機構（例えば、内蔵増幅器またはコンピュータチップ）によって補償される。いくつかの実施形態では、内蔵機構は、オーディオ信号のベース成分を増強させる。そのような能動スピーカは、前置増幅器またはコントローラで始まる相互接続ケーブルに沿って通過される低レベル（回線レベル）信号によってフィードされる。さらに、増幅器は、能動電子デバイスであって、能動スピーカは、電力を必要とし、電気を消費する。
【００５３】
いくつかの実施形態では、本発明による外部スピーカは、例えば、スピーカ３０面上等、一方または両方の外部スピーカ上に位置付けられるか、またはその中に埋設される、ＬＥＤ光等の装飾要素を有する（例えば、図４における要素３０２および３０４、図８における要素３０６、ならびに図９における要素３０８および３１０参照）。ＬＥＤ光は、任意の形状またはパターン、例えば、リング、帯、閃光、星、または任意の他の形状もしくは設計に配列されることができる。いくつかの実施形態では、ＬＥＤ光は、いったんオンにされると、定常に留まる。いくつかの実施形態では、ＬＥＤ光は、明滅または点滅する。いくつかの実施形態では、ＬＥＤ光は、音楽のビートまたはリズム等のオーディオ信号の特徴に従って明滅または点滅する。ここで使用されるＬＥＤ光は、１つまたは複数の色を有することができる。いくつかの実施形態では、同一ＬＥＤ光が、色を変化させる。いくつかの実施形態では、同一ＬＥＤ光が、楽曲のリズムまたはビート等のオーディオ信号の特徴に従って色を変化させる。いくつかの実施形態では、異なる色を有する異なるＬＥＤが、使用される。
【００５４】
ユーザは、個人用娯楽または他者との共有のために、１つまたはそれを上回る内蔵スイッチを使用して、所望のモードを選択することができる。例えば、スイッチ（例えば、制御ボタン）は、外部スピーカの一方または両方の端部の近傍に位置付けられることができる。いくつかの実施形態では、スイッチが、ＬＥＤ光をオンおよびオフにするために使用される。いくつかの実施形態では、スイッチが、ＬＥＤ光を点滅モードにさせるために使用される。いくつかの実施形態では、スイッチが、ＬＥＤ光の色を変化させるために使用される。いくつかの実施形態では、スイッチが、オーディオ信号をイヤホン、外部スピーカ、または両方にダイレクトするために使用される。
【００５５】
いくつかの実施形態では、スイッチが、オーディオ信号の特徴（例えば、楽曲のリズムまたはビート）と同期して、ＬＥＤ光を点滅させるために使用される。いくつかの実施形態では、スイッチが、オーディオ信号の特徴（例えば、楽曲のリズムまたはビート）と同期して、ＬＥＤ光を変化させるために使用される。いくつかの実施形態では、複数のスイッチが、使用される。いくつかの実施形態では、同一スイッチが、異なる動作モード間で変化させるために使用されることができる。例えば、１回のボタン押下は、ＬＥＤ点滅同期機能性に対応し、２回のボタン連続押下は、ＬＥＤ色変化機能性に対応する。
【００５６】
図４、８、および９を参照すると、ＬＥＤ光は、外部スピーカ自体の形状および設計に従って配列されることができる。いくつかの実施形態では、図８におけるように、１つのみのＬＥＤ光リングがある。他の実施形態では、２つまたはさらにそれを上回るＬＥＤ光リングが、使用される。これら３つの実施例では、ＬＥＤ光リングは、スピーカの形状を輪郭付ける。いくつかの実施形態では、他の形状および配列のＬＥＤ光が、使用されることができる。
【００５７】
付加的装飾または機能要素も、ＬＥＤ光と併用して、またはそれから独立して、使用されることができる。例えば、図４では、要素３５０は、スピーカを固着させ、付加的特性をスピーカおよびヘッドセットに追加するために使用される。
【００５８】
いくつかの実施形態では、スイッチが、オーディオ信号の特徴（例えば、楽曲のリズムまたはビート）と同期して、イヤーピース上のＬＥＤ光を点滅させるために使用される。いくつかの実施形態では、スイッチが、オーディオ信号の特徴（例えば、楽曲のリズムまたはビート）と同期して、ＬＥＤ光を変化させるために使用される。いくつかの実施形態では、複数のスイッチが、使用される。いくつかの実施形態では、同一スイッチが、異なる動作モード間で変化させるために使用されることができる。例えば、１回のボタン押下は、ＬＥＤ点滅同期機能性に対応し、２回のボタン連続押下は、ＬＥＤ色変化機能性に対応する。
【００５９】
いくつかの実施形態では、スイッチ（例えば、制御ボタン）は、外部スピーカ上に位置付けられ、ＬＥＤ光を制御する、または外部スピーカのための動作モードを変化させる。そのようなスイッチは、ヘッドバンド状構成要素上の制御スイッチから独立して、またはそれと併用して使用されることができる。いくつかの実施形態では、スイッチが、ＬＥＤ光をオンおよびオフにするために使用される。いくつかの実施形態では、スイッチが、ＬＥＤ光を点滅モードにさせるために使用される。いくつかの実施形態では、スイッチが、ＬＥＤ光の色を変化させるために使用される。いくつかの実施形態では、スイッチ（例えば、制御ボタン）は、オーディオ制御として外部スピーカ上に位置付けられる。そのようなスイッチはまた、ヘッドバンド状構成要素上の制御スイッチから独立して、またはそれと併用して使用されることができる。いくつかの実施形態では、スイッチが、オーディオ信号を外部スピーカにダイレクトするために使用される。
【００６０】
そのような実施形態では、スピーカは、ブロードキャスト／グループ享受モードにある。いくつかの実施形態では、スイッチが、外部スピーカへのオーディオ信号をオフにし、信号をイヤーピースのみにダイレクトするために使用される。そのような実施形態では、スピーカは、個人享受モードにある。いくつかの実施形態では、スイッチが、外部スピーカへのオーディオ信号をオンまたはオフにするために使用される。いくつかの実施形態では、スイッチが、オーディオ信号の特徴（例えば、楽曲のリズムまたはビート）と同期して、ＬＥＤ光を点滅させるために使用される。
【００６１】
いくつかの実施形態では、制御ボタンは、ヘッドバンド状構成要素上に位置する。いくつかの実施形態では、制御ボタンは、一方または両方のイヤーピース上に位置する。いくつかの実施形態では、制御ボタンは、外部スピーカの１つまたはそれぞれ上に位置する。
【００６２】
いくつかの実施形態では、イヤーピース上の１つまたはそれを上回る制御ボタンは、外部スピーカまたはヘッドバンド状構成要素上の制御ボタンの代替として使用される。いくつかの実施形態では、イヤーピース上の１つまたはそれを上回る制御ボタンは、外部スピーカまたはヘッドバンド状構成要素上の制御ボタンに加えて使用される。
【００６３】
いくつかの実施形態では、外部スピーカは、１つまたはそれを上回るバッテリによって給電される。いくつかの実施形態では、１つまたはそれを上回るバッテリは、再充電可能である。例えば、バッテリは、外部スピーカ上のプラグイン特色を通して充電されることができる。
【００６４】
いくつかの実施形態では、スピーカは、直接、電気コンセントによって給電される。
【００６５】
全体的外観
本発明によるヘッドセットは、特定の使用の選好に合わせて、任意のサイズまたは色を採用することができる。例えば、より小さい設計、明るい色、および軽量材料が、若年の子供のために好適なヘッドセットのために使用される。ネコの耳として成形される外部スピーカが、使用されるとき、異なるモデルが、異なる年代のユーザに合わせた設計であることができる。若年の少女のためには、Ｈｅｌｌｏ  ＫｉｔｔｙＴＭのものに類似する色彩および設計が、使用され、ヘッドセットの全部または一部（ヘッドバンド状構成要素、イヤーピース、および外部スピーカ）は、ピンク色であって、ネコの耳形状のスピーカの設計は、Ｈｅｌｌｏ  ＫｉｔｔｙＴＭのものに類似する平滑かつより丸みを帯びた形状である。
【００６６】
いくつかの実施形態では、ヘッドセット内の構成要素は、同一色を有する。いくつかの実施形態では、ヘッドセット内の構成要素は、異なる色を有する。例えば、ヘッドバンド状構成要素は、黒色であって、イヤーピースは、白色または銀色であって、外部スピーカは、青色である。いくつかの実施形態では、イヤーピースは、同一色を有する。いくつかの実施形態では、イヤーピースは、異なる色を有する。いくつかの実施形態では、外部スピーカは、同一色を有する。いくつかの実施形態では、外部スピーカは、異なる色を有する。
【００６７】
用途および機能性
一側面では、ユーザが本明細書に開示されるヘッドセットを使用し得る、方法および方式もまた提供される。
【００６８】
いくつかの実施形態では、イヤーピース内のスピーカおよび外部スピーカは、並列に接続される。オーディオ信号は、同時に、かつ相互から独立して、イヤーピースおよび外部スピーカにフィードされる。例えば、ｉＰｈｏｎｅ（登録商標）等のポータブルデバイスからのオーディオ信号は、イヤーピース（例えば、耳当て状イヤーピース）および外部スピーカの両方にフィードされる。そのような実施形態では、一方のスピーカにおける音質は、他方のスピーカの存在によって影響されない。ユーザは、他方のスピーカの性能に影響を及ぼさずに、一方のスピーカをオンおよびオフにすることができる。本構成は、ユーザが、個人享受モードとグループ享受モードとの間でシームレスに切り替えることを可能にする。いくつかの実施形態では、イヤーピース内のスピーカおよび外部スピーカは、直列に接続される。例えば、オーディオ信号は、最初に、外部スピーカから、次いで、イヤーピースに通過する。
【００６９】
代替として、オーディオ信号は、最初に、イヤーピースから、次いで、外部スピーカに通過する。そのような実施形態では、第１のスピーカまたは第１のセットのスピーカは、１つまたはそれを上回るフィルタとして機能する。例えば、オーディオ信号が、最初に、低品質スピーカにフィードされる場合、オーディオ信号の質は、後続スピーカのために低減されるであろう。第１のスピーカまたは第１のセットのスピーカが、能動スピーカである場合、オーディオ信号のある側面を増大し、後続フィルタにおいてより良好な聴取経験を可能にしてもよい。
【００７０】
いくつかの実施形態では、ユーザは、ケーブルを使用して、直接、ポータブルデバイスとヘッドセットを接続する。いくつかの実施形態では、ポータブルデバイスおよびヘッドセットは、無線で、例えば、Ｂｌｕｅｔｏｏｔｈ（登録商標）接続を介して、接続される。
【００７１】
いくつかの実施形態では、ユーザは、ヘッドセット（音楽源に無線で接続される）を装着し、ダンスする。いくつかの実施形態では、ＬＥＤ光等の装飾要素は、ヘッドセットがダンスモードに設定されると、点滅または明滅する。いくつかの実施形態では、ＬＥＤ光は、音楽に連動するリズムまたはビートに伴って点滅または明滅する。
【００７２】
いくつかの実施形態では、ヘッドセットは、ファッション小物として装着される。
【００７３】
本発明が詳細に説明されたが、修正、変形例、および均等物実施形態が、添付の請求項に定義された本発明の範囲から逸脱することなく、可能性として考えられることが明白であろう。さらに、本開示における全実施例は、非限定的実施例として提供されることを理解されたい。
【００７４】
前述の種々の方法および技法は、本発明を実践するためのいくつかの方法を提供する。当然ながら、必ずしも、説明される全目的または利点が、本明細書に説明される任意の特定の実施形態に従って達成され得るわけではないことを理解されるべきである。したがって、例えば、当業者は、本方法が、必ずしも、本明細書に教示または提案され得るような他の目的または利点を達成せずに、本明細書に教示される１つの利点または利点群を達成もしくは最適化する様式で行われ得ることを認識するであろう。種々の有利および不利な代替も、本明細書に述べられる。いくつかの好ましい実施形態は、１つ、別の、またはいくつかの有利な特徴を具体的に含み、いくつかは、１つ、別の、またはいくつかの不利な特徴を具体的に除外し、さらにいくつかは、１つ、別の、またはいくつかの有利な特徴の含有によって、本不利な特徴を具体的に緩和することを理解されたい。
【００７５】
さらに、当業者は、異なる実施形態から種々の特徴の可用性を認識するであろう。同様に、前述の種々の要素、特徴、およびステップならびに各そのような要素、特徴、またはステップの他の公知の均等物は、当業者によって、本明細書に説明される原理に従って方法を行うために混合または合致され得る。種々の要素、特徴、およびステップのうち、いくつかは、多様な実施形態に具体的に含まれ、いくつかは、そこから具体的に除外されるであろう。
【００７６】
本発明は、ある実施形態および実施例の文脈において開示されたが、本発明の実施形態は、具体的に開示される実施形態以外にも、他の代替実施形態および／または使用ならびにその修正および均等物にも及ぶことが、当業者によって理解されるであろう。
【００７７】
いくつかの実施形態では、本発明のある実施形態を説明および請求するために使用される成分、分子量等の特性、反応条件等の数量を表す数は、いくつかの事例では、用語「約」によって修飾されるものとして理解されるべきである。故に、いくつかの実施形態では、明細書および添付の請求項に記載の数値パラメータは、特定の実施形態によって得られることが求められる所望の特性に応じて変動し得る、近似値である。いくつかの実施形態では、数値パラメータは、報告される有効数字の数に照らして、かつ通常の丸め技法を適用することによって、解釈されるべきである。本発明のいくつかの実施形態の広い範囲を記載する数値範囲およびパラメータは近似値であるにもかかわらず、具体的実施例において記載される数値は、可能な限り正確に報告されている。本発明のいくつかの実施形態に提供される数値は、その個別の試験測定において得られた標準偏差から必然的に生じるある誤差を本質的に含有し得る。
【００７８】
いくつかの実施形態では、本発明の特定の実施形態を説明する文脈において（特に、以下の請求項の文脈において）使用される用語「ａ」および「ａｎ」および「ｔｈｅ」ならびに類似参照は、単数形および複数形の両方を網羅するものと解釈され得る。本明細書における値の範囲の列挙は、単に、その範囲内に入る各別個の値を個々に指す簡易法としての役割を果たすことが意図される。本明細書で別様に示されない限り、各個々の値は、本明細書に個々に列挙された場合と同様に本明細書に組み込まれる。本明細書に説明される全ての方法は、本明細書に別様に示されない限り、または別様に、文脈によって明らかに矛盾しない限り、任意の好適な順序で行われることができる。本明細書のある実施形態に関して提供される任意かつ全ての実施例または例示的言語（例えば、「等」）の使用は、単に、本発明をより解りやすくすることを意図しており、特許請求されるもの以外に、本発明の範囲に制限を加えるものではない。本明細書における用語は、本発明の実践に必須な任意の非特許請求要素を指していると解釈されるべきではない。
【００７９】
本明細書において開示された発明の代替的な要素または実施形態のグループ分けは、制限として解釈されるべきではない。各グループ構成要素は、個別に、あるいはグループの他の構成要素または本明細書に見られる他の要素との任意の組合せで、参照され、また請求され得る。グループの１つまたはそれを上回る構成要素が、便宜上および／または特許性の理由から、グループに含まれ、またはグループから削除され得る。任意のそのような包含または削除が生じるときに、本明細書は、修正されたグループを含むものと見なされ、したがって、添付の請求項において使用される全てのマーカッシュグループの書面による記載を満たす。
【００８０】
当業者は、そのような変形例を必要に応じて採用することができ、本発明は、本明細書に具体的に説明されるものとは別様に実践されることができることも検討される。故に、本発明の多くの実施形態は、適用法によって許容されるように、本明細書に添付の請求項に列挙される主題のあらゆる修正および均等物を含む。さらに、そのあらゆる可能性として考えられる変形例における前述の要素の任意の組み合わせは、本発明本明細書に別様に示されない限り、または別様に、文脈によって明らかに矛盾しない限り、本発明によって包含される。
【００８１】
さらに、多数の特許および印刷刊行物が、本明細書全体を通して参照された。前述の列挙された参考文献および印刷刊行物はそれぞれ、参照することによってその全体として本明細書に個々に組み込まれる。
【００８２】
最後に、本明細書において開示された本発明の実施形態は、本発明の原理を例示するものであることが理解されるべきである。採用され得る他の修正も、本発明の範囲内である。したがって、限定としてではなく一例として、本発明の代替的な構成が、本明細書の教示に従って利用され得る。故に、本発明の実施形態は、図示および記載されたものに厳密に限定されない。
【図１】
2017532927.tif 000003
【図２】
2017532927.tif 000004
【図３】
2017532927.tif 000005
【図４】
2017532927.tif 000006
【図５】
2017532927.tif 000007
【図６】
2017532927.tif 000008
【図７】
2017532927.tif 000009
【図８】
2017532927.tif 000010
【図９】
2017532927.tif 000011
【図１０】
2017532927.tif 000012
【国際調査報告】
2017532927.tif 000013
2017532927.tif 000014